(57)【要約】【課題】既存の自動販売機に改造を加えることなく容易に販売制御装置を後付で組み込むことができる自動販売機の販売制御装置を提供する。【解決手段】自動販売機の主制御部１と金銭処理部５との間で相互にデータ伝送するデータ伝送路８に介挿されて主制御部１と金銭処理部５とを連携する該データ伝送路８を接続または開放するスイッチ部１１と、このスイッチ部１１が開放されているとき、主制御部１とデータ送受して金銭処理部５の作動を模擬する金銭処理模擬部１２および金銭処理部５とデータ送受して主制御部１の作動を模擬する主制御模擬部１３と、所定の販売条件を満たしたときスイッチ部１１を駆動して主制御部１と金銭処理部５とを連携するデータ伝送路８を接続する販売制御部１４とを備える。【選択図】      図２
2004342033.tif 000002
【特許請求の範囲】
【請求項１】
貨幣投入口から投入された金銭を商品の販売に伴って精算処理する金銭処理部と、商品選択釦の選択的押下により前記商品の販売指令を出力する主制御部と、この主制御部と前記金銭処理部との間で相互にデータ伝送するデータ伝送路とを備えた自動販売機に組み込まれる販売制御装置であって、
前記データ伝送路に介挿されて前記主制御部と前記金銭処理部とを連携する該データ伝送路を接続または開放するスイッチ部と、
このスイッチ部が開放されているとき、前記主制御部とデータ送受して前記金銭処理部の作動を模擬する金銭処理模擬部と、
前記スイッチ部が開放されているとき、前記金銭処理部とデータ送受して前記主制御部の作動を模擬する主制御模擬部と、
所定の販売条件を満たしたとき前記スイッチ回路を駆動して前記主制御部と前記金銭処理部とを連携する前記データ伝送路を接続する販売制御部と
を備えることを特徴とする自動販売機の販売制御装置。
【請求項２】
前記販売許可判定装置は、上記商品を購入する購入者の年齢を識別して所定の年齢条件を満たしたとき上記自動販売機に収納された商品の販売を許可するものである請求項１に記載の自動販売機の販売制御装置。
【発明の詳細な説明】
【０００１】
【発明の属する技術分野】
本発明は、自動販売機の販売制御装置に係り、特に既存の自動販売機の制御装置に改造を加えることなく、後付で該自動販売機に組み込むに好適な自動販売機の販売制御装置に関する。
【０００２】
【従来の技術】
図１は、従来の自動販売機に組み込まれる制御装置の要部構成を示すブロック図である。この図において１は、自動販売機の販売制御等を行う主制御部であり、ＲＯＭ２とＲＡＭ３とを備え、他の各制御部を統括制御して該自動販売機の販売動作等を司る役割を担っている。ちなみに、主制御部１は、ＲＯＭ２に格納されている制御プログラムを実行することにより自動販売機の販売制御を行う。一方、ＲＡＭ３には、自動販売機の商品販売に係る各種設定データ、売上データ、故障データ等が格納される。
【０００３】
販売制御部４は、主制御部１からの指令に基づいて、図示しない商品搬出機構を制御し、商品を図示しない商品取出口まで搬出させる役割を担っている。
また、この自動販売機の前扉に陳列された複数の商品見本の近傍に設けられた複数の商品選択釦（図示せず）の選択的押下により、商品の販売を制御する販売制御部４が前扉の裏面側に設けられると共に、商品の購入者が該自動販売機に投入した硬貨または紙幣の枚数をカウントして、商品の販売に伴う精算処理を行う金銭処理部５（硬貨処理制御部５ａおよび紙幣処理制御部５ｂ）が設けられたものとなっている（例えば、特許文献１を参照）。
【０００４】
この種の自動販売機において、例えばタバコや酒類を販売する自動販売機にあっては、未成年に商品を販売することを避けることが好ましく、それ故、販売者識別（成人識別）が可能な自動販売機が望まれている。
このような販売者識別（成人識別）を行うための識別装置（成人識別装置）を既存の自動販売機に後付けして組み込む場合、成人識別装置を例えば前扉に取り付けると共に、主制御部１に組み込まれたＲＯＭ２を成人識別装置を制御するプログラムが組み込まれたＲＯＭに交換する必要がある。
【０００５】
【特許文献１】
特開２００３−６７２４号公報
【０００６】
【発明が解決しようとする課題】
しかしながら既存の自動販売機にあっては、成人識別の処理に必要なプログラム増加に対応不能なＲＯＭを備えた機種や、成人識別の処理に必要なＲＡＭ３の容量が足りない等の問題を生じることもある。更に成人識別装置と主制御部１とのインタフェースを司る制御信号線（データ伝送路）あるいは硬貨処理制御部５ａや紙幣処理制御部５ｂ等の金銭処理部５との主制御部１との間のインタフェースを司る制御信号線（データ伝送路）などの配線変更作業も必要である。
【０００７】
このように既存の自動販売機に成人識別装置を組み込む場合、上述した種々の問題が生じるという問題があった。
本発明はこのような事情を考慮してなされたもので、その目的は、既存の自動販売機に改造を加えることなく例えば成人識別を行うことが可能な販売制御装置を後付けして、該自動販売機に組み込むことが容易にできる自動販売機の販売制御装置を提供することにある。
【０００８】
【課題を解決するための手段】
前述した目的を達成するため、本発明の請求項１に係る自動販売機の販売制御装置は、貨幣投入口から投入された金銭を商品の販売に伴って精算処理する金銭処理部と、商品選択釦の選択的押下により前記商品の販売指令を出力する主制御部と、この主制御部と前記金銭処理部との間で相互にデータ伝送するデータ伝送路とを備えた自動販売機に組み込むに好適なものであって、
前記データ伝送路に介挿されて前記主制御部と前記金銭処理部とを連携する該データ伝送路を接続または開放するスイッチ部と、
このスイッチ部が開放されているとき、前記主制御部とデータ送受して前記金銭処理部の作動を模擬する金銭処理模擬部と、
前記スイッチ部が開放されているとき、前記金銭処理部とデータ送受して前記主制御部の作動を模擬する主制御模擬部と、
所定の販売条件を満たしたとき前記スイッチ回路を駆動して前記主制御部と前記金銭処理部とを連携する前記データ伝送路を接続する販売制御部と
を備えることを特徴としている。
【０００９】
好ましくは、前記販売許可判定装置は、上記商品を購入する購入者の年齢を識別して所定の年齢条件を満たしたとき上記自動販売機に収納された商品の販売を許可するものとして構成される。
したがって、本発明に係る自動販売機の制御装置によれば既存の自動販売機の主制御装置および金銭処理部（硬貨処理制御部および紙幣処理制御部）に改造を加えることなく容易に販売制御（例えば成人識別装置）を行うことができる。
【００１０】
【発明の実施の形態】
以下、図面を参照して本発明の一実施形態に係る自動販売機の販売制御装置について説明する。尚、従来の自動販売機の販売制御装置と同じ機能を備えている部位に関しては、同符号を付与してその説明を略述する。
図２は本発明の一実施形態に係る自動販売機の販売制御装置の概略構成を示すブロック図である。この図において１は、自動販売機の販売制御等を行う主制御部であり、後述する他の各制御部を統括制御して該自動販売機の動作を司る役割を担っている。この主制御部１は、図示しないＲＯＭとＲＡＭとを備え、ＲＯＭに格納されている制御プログラムにより該自動販売機の制御を実行する。一方、ＲＡＭには、各種設定データ、売上データ、故障データ等が格納されるようになっている。
【００１１】
販売制御部４は、主制御部１の指令に基づいて、図示しない商品搬出機構を制御し、図示しない商品取出口まで商品を搬出させる役割を担っている。またこの自動販売機には、特に図示しないが、自動販売機の前扉に展示される複数の商品見本の近傍に設けられた商品選択釦の選択的押下の検出および商品選択の表示、商品売り切れの表示や商品購入の際の釣り銭表示などを処理する接客部６が設けられている。
【００１２】
また、商品の購入者が自動販売機に投入した硬貨または紙幣の枚数をカウントして、商品の販売に伴う精算処理を行う硬貨処理制御部５ａおよび紙幣処理制御部５ｂとからなる金銭処理部５が自動販売機の前扉の裏面に設けられている。そして金銭処理部５と、主制御部１とはコネクタ７を介したデータ伝送路８が設けられて相互にデータ伝送して商品の販売と該商品の販売に伴う精算処理を行うようになっている。
【００１３】
ここに本発明に係る自動販売機が特徴とするところは、詳細は後述するが、上述したように構成された自動販売機の主制御部１および金銭処理部５とを相互接続するデータ伝送路８に設けられたコネクタ７の接続を開放し、このコネクタ７に販売制御装置１０を介挿することで、自動販売機の主制御部１および金銭処理部５の改造を伴うことなく、該自動販売機が販売する商品の販売制御ができる点にある。つまり、本発明に係る自動販売機の販売制御装置は、例えば商品を購入する購入者の年齢を識別して所定の年齢条件を満たしたとき該自動販売機に収納している商品の販売を許可する成人識別を行うことが可能な自動販売機を構成することが容易にできるという特徴がある。
【００１４】
具体的にこの販売制御装置１０には、上述したデータ伝送路８との間に設けられたコネクタ７に介挿され、主制御部１と金銭処理部とを連携する該データ伝送路８を接続または開放するスイッチ部１１が設けられている。ちなみにこのデータ伝送路８は、主制御部１が金銭処理部５および後述する成人識別装置２０へ送出する制御信号（コマンド信号）とそれ以外のデータ信号とを識別するレベル信号を伝送するＳＹＮライン８ａと、主制御部１が送信し、金銭処理部５が受信する送信データライン８ｂおよび金銭処理部５が送信し、主制御部１が受信する受信データライン８ｃとからなる３本線インタフェースとして構成されている。尚、これらライン（８ａ，８ｂ，８ｃ）の帰線は、特に図示しないが、例えば各制御装置を共通接地するシャーシグランド線等を用いて構成される。
【００１５】
また販売制御装置１０には、スイッチ部１１が開放されているとき、主制御部１とデータ送受して金銭処理部５の作動を模擬する金銭処理模擬部１２が設けられている。詳しくは、この金銭処理模擬部１２は、主制御部１から金銭処理部５に対してなされる各種制御コマンド、例えば金銭処理部５へ投入される貨幣の受付を可または不可、商品の購入に伴う残金の返却指令等を出力する。
【００１６】
更に販売制御装置１０には、スイッチ部１１が開放されているとき、金銭処理部５とデータ送受して主制御部１の作動を模擬する主制御模擬部１３とが設けられている。詳しくは、この主制御模擬部１３は、金銭処理部５から主制御部１に対して通知する各種データ、例えば金銭処理部５に投入された貨幣データや返却可能な釣り銭金データ、あるいは主制御部１から出される制御指令に対する応答等を出力するようになっている。
【００１７】
そして、詳細は後述するが、販売制御装置１０には、スイッチ部１１、金銭処理模擬部１２および主制御模擬部１３の作動を制御する販売制御部１４が設けられている。また、販売制御部１４には、例えば販売機が販売する商品を購入する購入者の年齢を識別して所定の年齢条件（２０歳以上）であること判定する成人識別装置２０のインタフェース信号が接続されるようになっている。ちなみに成人識別装置２０のインタフェース信号は、上述した主制御部１と金銭処理部５とのデータ伝送路８と同じ３本線インタフェース（８ａ，８ｂ，８ｃ）からなり、それぞれ対応する信号線が接続されるようになっている。
【００１８】
尚、成人識別装置２０は、例えば購入者が所持する成人識別用のカードを、購入者が商品の購入の都度、該成人識別装置２０に挿入あるいは翳す等の方法によって該カードの内容を読み込ませて、商品販売の可否を判定するものである。
このように構成された本発明の一実施形態に係る自動販売機の販売制御装置について、より詳細に図３に示す回路図を参照しながら説明する。この図において一点鎖線の内側の部位が販売制御装置１０を構成する回路である。この回路は、前述した販売制御部１４、主制御模擬部１３および金銭処理模擬部１２の機能（図２の破線内側の部位）をマイクロコンピュータ１５に実行させるものである。またこの図において二重鎖線の内側は、主制御部１と金銭処理部５とを連携するデータ伝送路を販売制御部１４の指令により接続または開放するスイッチ部１１である。
【００１９】
さて、マイクロコンピュータ１５の内部には、図示しないＲＯＭが組み込まれており、販売制御装置１０を制御するソフトウェアが記憶されるようになっている。また、マイクロコンピュータ１５には、スイッチ部１１を制御する制御信号の制御ポートＰ０１、およびこのスイッチ部１１が開放されているとき、主制御部１と制御データを相互に伝送して金銭処理部５を模擬するための入力ポートＲＸＤおよび出力ポートＴＸＤが設けられている。また、スイッチ部１１が開放されているとき、金銭処理部５と制御データを相互に伝送して主制御部１を模擬するための入力ポートＲＸＤ２および出力ポートＴＸＤ２がマイクロコンピュータ１５に設けられている。更にマイクロコンピュータ１５には、成人認証を行い、自動販売機で販売される商品の購入を許可する成人識別装置２０と相互にデータ伝送して販売を制御する入力ポートＲＸＤ１および出力ポートＴＸＤ１が設けられている。
【００２０】
一方、主制御部１と金銭処理部５とを連携するデータ伝送路８に介挿されるスイッチ部１１には、主制御部１のＳＹＮ信号の論理を反転させるインバータ１６ａと、このインバータ１６ａの出力信号の論理を反転させて金銭処理部５に与えるインバータ１６ｂが設けられている。そして、このインバータ１６ａの出力側とインバータ１６ｂの入力側とを接続する信号ラインには、プルアップ抵抗Ｒ１およびマイクロコンピュータ１５に設けられたスイッチ部１１を制御する制御ポートＰ０１の出力論理を反転するインバータ１６ｃの出力信号がそれぞれ接続されている。即ち、この信号ラインは、ワイヤードオア回路を構成している。
【００２１】
また、スイッチ部１１には、主制御部１から金銭処理部５に与えるコマンド信号またはデータ信号の論理を反転させるインバータ１６ｄと、このインバータ１６ｄの出力信号の論理を反転させて金銭処理部５に与えるインバータ１６ｅが設けられている。そして、このインバータ１６ｄの出力側とインバータ１６ｅの入力側とを接続する信号ラインには、プルアップ抵抗Ｒ２およびマイクロコンピュータ１５に設けられたスイッチ部１１の制御ポートＰ０１の出力論理を反転するインバータ１６ｆの出力信号がそれぞれ接続されている。
【００２２】
更にスイッチ部１１には、金銭処理部５から主制御部１に与えるデータ信号の論理を反転させるインバータ１６ｇと、このインバータ１６ｇの出力信号の論理を反転させて主制御部１に与えるインバータ１６ｈが設けられている。そして、このインバータ１６ｇの出力側とインバータ１６ｈの入力側を接続する信号ラインには、プルアップ抵抗Ｒ３およびマイクロコンピュータ１５に設けられたスイッチ部１１の制御ポートＰ０１の出力論理を反転するインバータ１６ｉの出力信号が接続されている。
【００２３】
また、マイクロコンピュータ１５には、該マイクロコンピュータ１５の制御によりスイッチ部１１が主制御部１と金銭処理部５との接続を開放したとき、主制御部１が金銭処理部５に対して送出する制御信号（コマンド信号）とそれ以外のデータ信号とを識別するレベル信号を模擬する出力ポートＰ０２が設けられている。そして、出力ポートＰ０２の出力信号は、インバータ１６ｊを介して論理が反転された後、金銭処理部５および成人識別装置２０のＳＹＮ入力端子、およびこのＳＹＮ入力端子に接続されるインバータ１６ｂの出力端子と接続されて、ワイヤードオア回路を構成している。
【００２４】
更にマイクロコンピュータ１５には、主制御部１から出力されるＳＹＮ信号の出力レベルの変化（出力論理の変化）を検出する割り込み信号入力端子ＩＮＴが設けられている。具体的には、主制御部１から出力されるＳＹＮ信号が、ハイレベルにあるときはコマンド信号以外の信号であり、ＳＹＮ信号のレベルがハイレベルからローレベルに変化したとき、コマンド信号を明示するものである。つまり、金銭処理部５および成人識別装置２０は、このＳＹＮ信号のローレベルからハイレベルに変化する時点（立ち下がりエッジ）のとき、主制御部１が金銭処理部５または成人識別装置２０に対して送出したコマンド信号（送信データライン８ｂの信号）を取り込むようになっている。つまりマイクロコンピュータ１５に設けられた割り込み信号入力端子ＩＮＴは、スイッチ部１１を開放して主制御部１と金銭処理部５との接続を断っているとき、主制御部１から金銭処理部５に対して送出されるコマンド信号を検出して、適切な応答を主制御部１に対して返す金銭処理部５の模擬を行うトリガ信号を受信するものである。
【００２５】
また、自動販売機の電源投入に伴って、販売制御装置１０のマイクロコンピュータ１５を初期化（パワーオンリセット）するリセットＩＣ１７が設けられて、その出力（リセット信号）がマイクロコンピュータ１５のリセット端子ＲＥＳＥＴに与えられるようになっている。ちなみに金銭処理部５および成人識別装置２０に対して主制御部１から出力する制御指令（コマンド）の応答が該金銭処理部５および該成人識別装置２０から得られなかったとき、主制御部１は、所定の時間、ＳＹＮ信号をローレベルに固定して該金銭処理部５および該成人識別装置２０に初期化信号を与える。このとき、販売制御装置１０のリセットＩＣ１７は、この初期化信号を受けて、マイクロコンピュータ１５のリセット端子ＲＥＳＥＴを活性化させて、該マイクロコンピュータ１５、すなわち販売制御装置１０を初期化する。
【００２６】
次に、このように構成された本発明の一実施形態に係る自動販売機の販売制御装置の作動手順について、図４に示す動作シーケンス図を参照しながら説明する。
自動販売機を駆動する電源が投入されると、マイクロコンピュータ１５の制御ポートＰ０１の出力レベルをハイレベルにして、該制御ポートＰ０１に接続されているインバータ（１６ｃ，１６ｆ，１６ｉ）の出力レベルをローレベルに固定する。このとき、それぞれのインバータ（１６ｃ，１６ｆ，１６ｉ）の出力端子に接続されているインバータ（１６ｂ，１６ｅ，１６ｇ）の入力端子がローレベルに固定される。すると主制御部１から金銭処理部５に対してＳＹＮライン８ａおよび送信データライン８ｂを介して出力される信号が不活性になる一方、金銭処理部５から主制御部１に対して受信データライン８ｃを介して出力される応答信号（レスポンス）も不活性となる。即ち、制御ポートＰ０１の出力レベルをハイレベルにすることは、主制御部１と金銭処理部５とを連携するデータ伝送路８を開放するのと等価となる。
【００２７】
そして、成人識別装置２０は、受信データライン８ｃおよびマイクロコンピュータ１５の入力ポートＲＸＤ１を介して該マイクロコンピュータ１５の販売制御部１４に金銭処理部５が貨幣を受付しないよう（受付不可）貨幣受付不可通知を出力する（ステップＳ１）。次いで主制御部１は、が送信データライン８ｂおよびマイクロコンピュータ１５の入力ポートＲＸＤを介して販売制御部１４に受付可信号を送出する（ステップＳ２）。これは、主制御部１が金銭処理部５に対して金銭の受付を許可する制御指令（コマンド）である。ちなみに主制御部１が金銭処理部５と成人識別装置２０とからなるスレーブ装置に各々出力する制御指令は、ＳＹＮライン８ａに出力するＳＹＮ信号をローレベルにしたときなされるものである。以下、主制御部１または販売制御装置１０がこれらのスレーブ装置に出力する制御指令（コマンド）のときのＳＹＮ信号の挙動は省略して説明する。
【００２８】
主制御部１から金銭の受付を許可する制御指令（コマンド）を受けた販売制御装置１０の主制御模擬部１３は、出力ポートＴＸＤ２および送信データライン８ｂを介して金銭処理部５に貨幣の受付けを不可にする受付不可の制御指令（コマンド）を出力する（ステップＳ３）。これは、本発明に係る自動販売機の制御装置が、成人識別装置２０の認証を受けた後に販売を許可する構成としているため金銭受付不可の制御指令を金銭処理部５に出力して商品の販売を不可とするものである。
【００２９】
次に販売制御装置１０の金銭処理模擬部１２は、ステップＳ２で主制御部１が出力した受付許可指令に対する金銭処理部５の応答を模擬して主制御部１に対して受付可指令のレスポンスを出力ポートＴＸＤおよび受信データライン８ｃを介して返す（ステップＳ４）。このようにして電源オン時の初期設定が完了すると、自動販売機は販売待機状態となる。
【００３０】
上述したようにして初期設定が完了し、販売待機状態となった自動販売機に、商品購入のため購入者が例えば非接触で読み取り可能な成人識別用のカードを成人識別装置２０に翳し、該成人識別装置２０が該カードに記録されている年齢情報から販売を許可すると判定したとき、該成人識別装置２０は、販売制御装置１０に対して認証ＯＫ通知を出力する（ステップ５）。
【００３１】
この認証ＯＫ通知を受けた販売制御装置１０の販売制御部１４は、引き続き他の成人識別用のカードが翳されないよう出力ポートＴＸＤ１および送信データライン８ｂを介してカード受付不可指令を成人識別装置２０へ送出する（ステップＳ６）と共に、金銭処理部５に出力ポートＴＸＤ２および送信データライン８ｂを介して金銭受付可の制御指令を出力する（ステップＳ７）。
【００３２】
そして、販売制御部１４は、主制御部１と金銭処理部５との間で直接通信可能となるようにスイッチ部１１を閉じる。具体的には、マイクロコンピュータ１５の制御ポートＰ０１の出力レベルをローレベルにして、該制御ポートＰ０１に接続されているインバータ（１６ｃ，１６ｆ，１６ｉ）の出力レベルをハイレベルに固定する。このとき、それぞれのインバータ（１６ｃ，１６ｆ，１６ｉ）の出力端子に接続されているインバータ（１６ｂ，１６ｅ，１６ｇ）の入力端子がハイレベルになる。すると主制御部１から金銭処理部５に対してＳＹＮライン８ａおよび送信データライン８ｂを介して出力される信号がそれぞれ活性化される。つまり、主制御部１と金銭処理部５との間で直接通信を行うことができる。尚、ステップＳ７で金銭受付可の制御指令を受けた金銭処理部５は、主制御部１に金銭受付状態となったことを状態データとしてレスポンスを返す（ステップＳ８）。このレスポンスは、受信データライン８ｃに介挿されたインバータ（１６ｇ，１６ｈ）を介して主制御部１に与えられる。
【００３３】
そうして金銭受付可の制御指令を受信した金銭処理部５は、貨幣投入口に投入された金銭を受け付けると共に、商品の購入者から投入された金銭額および該金銭処理部５が返却可能な釣り銭の額（現金返却可能枚数）を主制御部１に通知する（ステップＳ９）。
このようにして商品の販売が可能となった自動販売機は、接客部６に設けられた、具体的には前扉に陳列された複数の商品見本の近傍に設けられた商品選択釦の選択的押下の情報を主制御部１に伝える（ステップＳ１０）。そして、ステップＳ９で金銭処理部５から受けた現金受付データと現金返却可能枚数およびステップＳ１０で受けた商品選択釦の押下情報とから、該商品の販売が可能であると主制御部１が判定すると主制御部１は、販売制御部４に該商品の払い出しを指令する（ステップＳ１１）。
【００３４】
一方、商品払い出しを指令した主制御部１は、金銭処理部５に商品購入残金を返却する返却指令を出力すると共に、返却時に貨幣投入を禁止する受付不可指令を出力する（ステップＳ１２）。この受付不可指令は、送信データライン８ｂに介挿されたインバータ（１６ｄ，１６ｅ）を介して金銭処理部５に与えられる。この返金指令を主制御部１から受けた金銭処理部５は、指令を受けた金額を返金すると共に、返金通知をレスポンスとして主制御部１に返す（ステップＳ１３）。このステップＳ１３で金銭処理装置Ｓ１３がレスポンスを主制御部１に返すと販売制御装置１０の販売制御部１４は、スイッチ部１１を開いて、主制御部１と金銭処理部５との伝送路を開放する。
【００３５】
具体的には、マイクロコンピュータ１５の制御ポートＰ０１の出力レベルをハイレベルにして、該制御ポートＰ０１に接続されているインバータ（１６ｃ，１６ｆ，１６ｉ）の出力レベルをローレベルに固定する。このとき、それぞれのインバータ（１６ｃ，１６ｆ，１６ｉ）の出力端子に接続されているインバータ（１６ｂ，１６ｅ，１６ｇ）の入力端子がローレベルに固定される。すると主制御部１から金銭処理部５に対してＳＹＮライン８ａおよび送信データライン８ｂを介して出力される信号が不活性となり、主制御部１と金銭処理部５との接続が開放された状態と等価となる。
【００３６】
このようにして、一連の販売処理が終了すると主制御部１は、金銭処理部５を模擬する販売制御装置１０の金銭処理模擬部１２に送信データライン８ｂおよび入力ポートＲＸＤを介して次の販売を許可する受付可指令の制御指令を出力する（ステップＳ１４）。そして、販売制御装置１０の主制御模擬部１３は、出力ポートＴＸＤ２および送信データライン８ｂを介して自動販売機への貨幣の投入を不可、すなわち販売を不可にする受付不可の制御指令を金銭処理部５に出力する（ステップＳ１５）と共に、次の成人識別用のカードを認証するため、出力ポートＴＸＤ１および送信データライン８ｂを介して成人識別装置２０に対してカード受付可の制御指令を出力する。
【００３７】
尚、ステップＳ１４で主制御部１から受付可指令を受けた金銭処理模擬部１２は、金銭処理部５を模擬して、主制御部１に対して受付可応答のレスポンスを返す（ステップＳ１７）。
ちなみに金銭処理部５が上述したステップＳ３、Ｓ７およびステップＳ１５が金銭処理部５に出力する受付可／不可の制御指令（コマンド）、ステップＳ６およびステップＳ１６が成人識別装置２０に出力するカード受付可／不可の制御指令（コマンド）は、マイクロコンピュータ１５の出力ポートＰ０２をハイレベルにすることにより、該出力ポートに接続されているインバータ１６ｊを介して金銭処理部５および成人識別装置２０に与えられるものである。
【００３８】
かくしてこのように構成された本発明に係る自動販売機の販売制御装置によれば、前記データ伝送路に介挿されて前記主制御部１と前記金銭処理部５とを連携するデータ伝送路８に、該データ伝送路８を接続または開放するスイッチ部１１を介挿すると共に、このスイッチ部１１が開放されているとき、主制御部１とデータ送受して金銭処理部５の作動を模擬する金銭処理模擬部１２および金銭処理部５とデータ送受して前記主制御部１の作動を模擬する主制御模擬部１３を備え、成人識別装置２０が所定の販売条件を満たしたとき、スイッチ部１１を駆動して主制御部１と前記金銭処理部５とを連携するデータ伝送路８を接続する販売制御部１４とを備えているので、既存の自動販売機の主制御部および金銭処理部に改造を施すことなく、単にコネクタ接続の変更で成人認識機能を実現することができる。
【００３９】
このため特に成人以外の購入者に対する販売を規制することが望まれるタバコや酒類の既存の自動販売機に本発明に係る自動販売機の販売制御装置を容易に接続することができ、好ましい結果を得ることができる。
その他、本発明はその要旨を変更しない範囲において種々変形して実施することができる。例えば、工場等の特定の従業員（正社員）だけに商品の販売を許可するため、正社員を認識することが可能な従業員カードを用いて従業員を認証するように構成してもかまわない。
【００４０】
【発明の効果】
以上述べたように、本発明に係る自動販売機の販売制御装置によれば、既存の自動販売機の制御装置および金銭処理部（硬貨処理制御部および紙幣処理制御部）に改造を加えることなく簡易に販売制御（例えば成人識別装置）を行うことができる等の実用上多大なる効果が奏せられる。
【図面の簡単な説明】
【図１】従来の自動販売機に組み込まれる販売制御装置の要部構成を示すブロック図。
【図２】本発明の一実施形態に係る自動販売機の販売制御装置の概略構成を示すブロック図。
【図３】本発明の一実施形態に係る自動販売機の販売制御装置の回路構成を示す図。
【図４】本発明の一実施形態に係る自動販売機の販売制御装置の動作手順を示す動作シーケンス図。
【符号の説明】
１      主制御部
４      販売制御部
５      金銭処理部
５ａ    硬貨処理制御部
５ｂ    紙幣処理制御部
６      接客部
７      コネクタ
８      データ伝送路
１０      販売制御装置
１１      スイッチ部
１２      金銭処理模擬部
１３      主制御模擬部
１４      販売制御部
１５      マイクロコンピュータ
２０      成人識別装置
【図１】
2004342033.tif 000003
【図２】
2004342033.tif 000004
【図３】
2004342033.tif 000005
【図４】
2004342033.tif 000006